(57)【特許請求の範囲】
【請求項１】
時分割多重方式によって多重化された信号を受信する無線装置であって、
当該無線装置に割り当てられた所定スロットにおける受信信号の受信電界強度（以下、ＲＳＳＩという）を検出するＲＳＳＩ検出手段と、
前記受信信号のスロット前半のＲＳＳＩとスロット後半のＲＳＳＩとを比較し、そのレベル差に基づいて前記受信信号の種別を判断する信号種別判断手段と、
前記ＲＳＳＩ検出手段によって検出されたＲＳＳＩとしきい値とを比較するＲＳＳＩ比較手段と、
前記しきい値を更新するしきい値更新手段と、を備え、
前記信号種別判断手段によって所定スロットの受信信号がフルバースト信号と判断された以降の所定スロットにおける受信信号のＲＳＳＩが、所定のフレーム数以上、連続して前記しきい値未満であれば、前記しきい値更新手段は前記しきい値を下方更新することを特徴とする無線装置。
【請求項２】
前記しきい値を下方更新する際、前記しきい値更新手段は前記しきい値を一定値引き下げることを特徴とする請求項１記載の無線装置。
【請求項３】
前記信号種別判断手段によって所定スロットの受信信号がフルバースト信号と判断され、かつ、前記ＲＳＳＩ比較手段で比較された受信信号のＲＳＳＩが前記しきい値以上であれば、
消費電流を抑えるセービングモードの無線装置は通常受信モードに移行することを特徴とする請求項１または２記載の無線装置。
【請求項４】
通常受信モードに移行した無線装置は、所定スロットの受信信号から同期ワードを検出すれば通常受信モードを継続することを特徴とする請求項３記載の無線装置。
【請求項５】
通常受信モードに移行した以降の所定スロットにおける受信信号から同期ワードを検出できない場合が所定回数連続しておきたという条件を満たしたときは、前記しきい値更新手段は前記しきい値を上方更新することを特徴とする請求項３または４記載の無線装置。
【請求項６】
前記しきい値を上方更新する際、前記しきい値更新手段は前記しきい値を一定値引き上げることを特徴とする請求項５記載の無線装置。
【請求項７】
前記条件を満たさないときは前記しきい値更新手段は前記しきい値を変更せずに、前記条件を満たしたときは前記しきい値更新手段は前記しきい値を上方更新した後、通常受信モードの無線装置は再びセービングモードに移行することを特徴とする請求項５または６記載の無線装置。
【請求項８】
時分割多重方式によって多重化された信号を受信する無線装置のしきい値更新方法であって、
前記無線装置に割り当てられた所定スロットにおける受信信号の受信電界強度（以下、ＲＳＳＩという）を検出するＲＳＳＩ検出ステップと、
前記ＲＳＳＩ検出ステップで検出された受信信号のスロット前半のＲＳＳＩとスロット後半のＲＳＳＩとを比較し、そのレベル差に基づいて前記受信信号の種別を判断する信号種別判断ステップと、
前記ＲＳＳＩ検出ステップで検出されたＲＳＳＩとしきい値とを比較するＲＳＳＩ比較ステップと、を有し、
前記信号種別判断ステップで所定スロットの受信信号がフルバースト信号と判断された以降の所定スロットにおける受信信号のＲＳＳＩが、所定のフレーム数以上、連続して前記しきい値未満であれば、前記しきい値を下方更新するしきい値下方更新ステップと、をさらに有することを特徴とするしきい値更新方法。
【請求項９】
前記しきい値下方更新ステップは、前記しきい値を一定値引き下げることを特徴とする請求項８記載のしきい値更新方法。
【請求項１０】
前記信号種別判断ステップで所定スロットの受信信号がフルバースト信号と判断され、かつ、前記ＲＳＳＩ比較ステップで比較された受信信号のＲＳＳＩが前記しきい値以上であれば、
消費電流を抑えるセービングモードの前記無線装置が通常受信モードに移行する通常受信モード移行ステップを有することを特徴とする請求項８または９記載のしきい値更新方法。
【請求項１１】
通常受信モードに移行した前記無線装置が所定スロットの受信信号から同期ワードを検出する同期ワード検出ステップを有し、
前記同期ワード検出ステップで同期ワードを検出すれば通常受信モードを継続することを特徴とする請求項１０記載のしきい値更新方法。
【請求項１２】
前記同期ワード検出ステップで、通常受信モードに移行した以降の所定スロットにおける受信信号から同期ワードを検出できない場合が所定回数連続しておきたという条件を満たしたときは、前記しきい値を上方更新するしきい値上方更新ステップを有することを特徴とする請求項１０または１１記載のしきい値更新方法。
【請求項１３】
前記しきい値上方更新ステップは、前記しきい値を一定値引き上げることを特徴とする請求項１２記載のしきい値更新方法。
【請求項１４】
前記条件を満たさないときは前記しきい値上方更新ステップを実行せずに、前記条件を満たしたときは前記しきい値上方更新ステップで前記しきい値を上方更新した後、通常受信モードの前記無線装置が再びセービングモードに移行するセービングモード移行ステップを有することを特徴とする請求項１２または１３記載の無線装置。
【請求項１５】
請求項８、９、１０、１１、１２、１３または１４に記載のしきい値更新方法をコンピュータに実行させるためのしきい値更新プログラム。
【発明の詳細な説明】
【０００１】
【発明の属する技術分野】
本発明は無線装置、しきい値更新方法および該方法を実行させるためのしきい値更新プログラムに係り、特に、受信判定に用いられるしきい値を環境に応じて更新する無線装置、しきい値更新方法およびしきい値更新プログラムに関する。
【０００２】
【従来の技術】
従来の無線装置は、通信を行っていない状態にあっては、消費電力が比較的大きいＤＳＰ等の構成要素に電力を供給しないセービングモードとなることによって、無線装置の消費電流を抑えている。一方、セービングモード以外では、通信やその他の調整等を行うために必要な構成要素に電力を供給する通常受信モードとなる。したがって、従来の無線装置は、通信の開始時にはセービングモードから通常受信モードに移行し、通信の終了時には通常受信モードからセービングモードに移行する。
【０００３】
例えば、多重化方式がＴＤＭＡ（時分割多重方式）であり、通信を行うスロットが基地局によって予め割り当てられる方式の通信システムで用いられる従来の無線装置がセービングモードのとき、当該無線装置は、予め割り当てられたスロットの受信電界強度（以下、ＲＳＳＩという）のみを監視している。そして、ＲＳＳＩが所定のしきい値（以下、単にしきい値という）を越えたとき、無線装置はセービングモードを解除して通常受信モードに移行していた。但し、当該無線装置において、しきい値は固定に設定されている。
【０００４】
【発明が解決しようとする課題】
無線装置は持ち運んで使用される場合が多く、装置周囲の環境は多様に変化する。環境が変化すれば周囲雑音も変動するが、上述したように、上記従来の無線装置ではＲＳＳＩと比較されるしきい値が固定に設定されているため、装置周囲の電波環境によっては当該無線装置が所望の動作を行わない恐れがある。すなわち、無線装置の周囲雑音がしきい値よりも高い状況にあっては、基地局から送話信号が送信されなくてもセービングモードの無線装置は頻繁に通常受信モードに移行してしまう。この場合、セービングモードによる省電力効果が期待できる程得られないという問題点があった。一方、しきい値が高すぎる場合は、セービングモードの無線装置が基地局からの送話信号を受信しても当該装置は通常受信モードに移行しないため、通信に支障をきたしてしまうという問題点があった。
【０００５】
本発明は、上記従来の問題点に鑑みてなされたものであって、ＲＳＳＩ（受信電界強度）と比較されるしきい値が環境に応じて最適となるよう更新可能な無線装置、しきい値更新方法およびしきい値更新プログラムを提供することを目的としている。
【０００６】
【課題を解決するための手段】
上記課題を解決するために、本発明に係る無線装置は、時分割多重方式によって多重化された信号を受信する無線装置であって、当該無線装置に割り当てられた所定スロットにおける受信信号の受信電界強度（以下、ＲＳＳＩという）を検出するＲＳＳＩ検出手段と、前記受信信号のスロット前半のＲＳＳＩとスロット後半のＲＳＳＩとを比較し、そのレベル差に基づいて前記受信信号の種別を判断する信号種別判断手段と、前記ＲＳＳＩ検出手段によって検出されたＲＳＳＩとしきい値とを比較するＲＳＳＩ比較手段と、前記しきい値を更新するしきい値更新手段と、を備え、前記信号種別判断手段によって所定スロットの受信信号がフルバースト信号と判断された以降の所定スロットにおける受信信号のＲＳＳＩが、所定のフレーム数以上、連続して前記しきい値未満であれば、前記しきい値更新手段は前記しきい値を下方更新する。
【０００７】
このように、所定スロットのＲＳＳＩと比較されるしきい値を固定とするのではなく、条件を設けて適当に更新できるため、環境の変動に適応した最適なしきい値設定を行うことができる。したがって、しきい値が高すぎるためにフルバースト信号を受信しても通常受信モードに移行せず通信に支障をきたしてしまうといった問題を、しきい値の下方更新によって自動的に解決することができる。
【０００８】
また、本発明に係る無線装置は、前記しきい値を下方更新する際、前記しきい値更新手段は前記しきい値を一定値引き下げる。
【０００９】
また、本発明に係る無線装置は、前記信号種別判断手段によって所定スロットの受信信号がフルバースト信号と判断され、かつ、前記ＲＳＳＩ比較手段で比較された受信信号のＲＳＳＩが前記しきい値以上であれば、消費電流を抑えるセービングモードの無線装置は通常受信モードに移行する。このように、通常受信モードへの移行の条件が複数設けられているため、通信開始の誤認識を減らすことができ、結果として、セービングモードによる省電力効果を向上させることができる。
【００１０】
また、本発明に係る無線装置は、通常受信モードに移行した無線装置は、所定スロットの受信信号から同期ワードを検出すれば通常受信モードを継続する。
【００１１】
また、本発明に係る無線装置は、通常受信モードに移行した以降の所定スロットにおける受信信号から同期ワードを検出できない場合が所定回数連続しておきたという条件を満たしたときは、前記しきい値更新手段は前記しきい値を上方更新する。したがって、セービングモードを解除したにもかかわらず、周囲雑音が高く誤り率が高いため実質的な通信を行うことができない場合は、このような環境に適当なしきい値に更新することができる。
【００１２】
また、本発明に係る無線装置は、前記しきい値を上方更新する際、前記しきい値更新手段は前記しきい値を一定値引き上げる。
【００１３】
また、本発明に係る無線装置は、前記条件を満たさないときは前記しきい値更新手段は前記しきい値を変更せずに、前記条件を満たしたときは前記しきい値更新手段は前記しきい値を上方更新した後、通常受信モードの無線装置は再びセービングモードに移行する。したがって、所定スロットの種別判断およびＲＳＳＩとしきい値との比較によって通信の開始が誤認識されたとしても、同期ワードを検出できない非有効な通信である場合には再度セービングモードに戻るため、セービングモードによる省電力効果をさらに向上させることができる。
【００１４】
また、本発明に係る無線装置のしきい値更新方法は、時分割多重方式によって多重化された信号を受信する無線装置のしきい値更新方法であって、前記無線装置に割り当てられた所定スロットにおける受信信号の受信電界強度（以下、ＲＳＳＩという）を検出するＲＳＳＩ検出ステップと、前記ＲＳＳＩ検出ステップで検出された受信信号のスロット前半のＲＳＳＩとスロット後半のＲＳＳＩとを比較し、そのレベル差に基づいて前記受信信号の種別を判断する信号種別判断ステップと、前記ＲＳＳＩ検出ステップで検出されたＲＳＳＩとしきい値とを比較するＲＳＳＩ比較ステップと、を有し、前記信号種別判断ステップで所定スロットの受信信号がフルバースト信号と判断された以降の所定スロットにおける受信信号のＲＳＳＩが、所定のフレーム数以上、連続して前記しきい値未満であれば、前記しきい値を下方更新するしきい値下方更新ステップと、をさらに有する。
【００１５】
また、本発明に係るしきい値更新方法は、前記しきい値下方更新ステップは、前記しきい値を一定値引き下げる。
【００１６】
また、本発明に係るしきい値更新方法は、前記信号種別判断ステップで所定スロットの受信信号がフルバースト信号と判断され、かつ、前記ＲＳＳＩ比較ステップで比較された受信信号のＲＳＳＩが前記しきい値以上であれば、消費電流を抑えるセービングモードの前記無線装置が通常受信モードに移行する通常受信モード移行ステップを有する。
【００１７】
また、本発明に係るしきい値更新方法は、通常受信モードに移行した前記無線装置が所定スロットの受信信号から同期ワードを検出する同期ワード検出ステップを有し、前記同期ワード検出ステップで同期ワードを検出すれば通常受信モードを継続する。
【００１８】
また、本発明に係るしきい値更新方法は、前記同期ワード検出ステップで、通常受信モードに移行した以降の所定スロットにおける受信信号から同期ワードを検出できない場合が所定回数連続しておきたという条件を満たしたときは、前記しきい値を上方更新するしきい値上方更新ステップを有する。
【００１９】
また、本発明に係るしきい値更新方法は、前記しきい値上方更新ステップは、前記しきい値を一定値引き上げる。
【００２０】
また、本発明に係るしきい値更新方法は、前記条件を満たさないときは前記しきい値上方更新ステップを実行せずに、前記条件を満たしたときは前記しきい値上方更新ステップで前記しきい値を上方更新した後、通常受信モードの前記無線装置が再びセービングモードに移行するセービングモード移行ステップを有する。
【００２１】
さらに、本発明に係るしきい値更新プログラムは、請求項８、９、１０、１１、１２、１３または１４に記載のしきい値更新方法をコンピュータに実行させるためのものである。
【００２２】
【発明の実施の形態】
以下、本発明に係る無線装置、しきい値更新方法およびしきい値更新プログラムの一実施形態について、図面を参照して詳細に説明する。なお、それぞれの実施形態の説明では、本発明に係る無線装置およびしきい値更新方法について詳述するが、本発明に係るしきい値更新プログラムについては、しきい値更新方法を実行させるためのプログラムであることから、その説明は以下のしきい値更新方法の説明に含まれるものである。
【００２３】
本実施形態の無線装置が利用される通信システムでは、多重化方式としてＴＤＭＡ（時分割多重方式）が採用されており、通信を行うスロットが基地局によって予め割り当てられている。当該スロットにおいて、本実施形態の無線装置は、基地局からフルバースト信号（以下、単にフルバーストという）またはハーフバースト信号（以下、単にハーフバーストという）を受信する。
【００２４】
以下、フルバーストおよびハーフバーストについて、図１を参照して説明する。まず、フルバーストは、実際の通信内容を送信する際の信号であり、図１（ａ）に示すように、バースト過渡応答用ランプ時間（Ｒ）と、プリアンブル（Ｐ）と、通信データ（ＵＳＣ）×２と、同期ワード（ＳＷ）と、機能チャネル識別信号（ＣＩ）と、低速付随制御チャネル（ＳＡ）と、出力が何もないガードタイム（Ｇ）とから構成されている。
【００２５】
また、ハーフバーストは、フルバースト以外のとき基地局から送信される信号であり、図１（ｂ）に示すように、スロットの前半はガードタイム（Ｇ）によって構成され、後半はバースト過渡応答用ランプ時間（Ｒ）と、プリアンブル（Ｐ）と、通信データ（ＵＳＣ）と、同期ワード（ＳＷ）と、機能チャネル識別信号（ＣＩ）と、低速付随制御チャネル（ＳＡ）とから構成されている。なお、スロットの前半を占めるガードタイム（Ｇ）中の受信電界強度（以下、ＲＳＳＩという）はスロット後半（Ｒ，Ｐ，ＳＷ，ＣＩ，ＳＡ，ＵＳＣ）のＲＳＳＩよりも低い。したがって、ハーフバーストが送信されるスロットのＲＳＳＩでは前半と後半とでレベル差が生じる。なお、フルバーストが送信されるスロットのＲＳＳＩはで前半と後半のレベル差は小さい。
【００２６】
次に、基地局からフルバーストおよびハーフバーストを受信する本実施形態の無線装置の構成について、図２を参照して説明する。図２は、本発明に係る一実施形態の無線装置を示すブロック図である。同図において、本実施形態の無線装置は、アンテナ１０１と、無線部１０３と、復号部１０５と、特許請求の範囲のＲＳＳＩ検出手段に該当するＲＳＳＩ検出部１０７と、信号種別判断手段に該当する信号種別判断部１０９と、ＲＳＳＩ比較手段に該当するＲＳＳＩ比較部１１１と、しきい値更新手段に該当するＲＳＳＩしきい値設定部１１３と、制御部１１５と、第１のカウンタ部１１７ａと、第２のカウンタ部１１７ｂとを備えて構成されている。
【００２７】
以下、本実施形態の無線装置が有する各構成要素について説明する。
まず、無線部１０３は、アンテナ１０１が受信した信号に対して周波数変換やフィルタリング、直交復調、Ａ／Ｄ変換等を行ってベースバンド信号を出力するものである。また、復号部１０５は、無線部１０３からのベースバンド信号を復号化して復号データを出力するものである。なお、本実施形態において、復号部１０５はＤＳＰによって実現されている。また、無線部１０３の一部および復号部１０５には、本実施形態の無線装置がセービングモードのとき電力が供給されていない。
【００２８】
また、ＲＳＳＩ検出部１０７は、無線部１０３から得られたベースバンド信号のＲＳＳＩを検出するものである。なお、セービングモードの無線装置において、ＲＳＳＩ検出部１０７は、図３に示すように、一フレーム中、当該無線装置に割り当てられたスロット（以下、該当スロットという）の前半、後半各一部のＲＳＳＩだけを検出する。図３は、フルバーストおよびハーフバースト各々のＲＳＳＩを示す説明図である。
【００２９】
また、信号種別判断部１０９は、該当スロットの前半のＲＳＳＩと後半のＲＳＳＩとを比較することによって、基地局から送信された信号がフルバーストかハーフバーストかを判別するものである。図３に示すように、フルバースト（ｂ）は前半と後半とでＲＳＳＩのレベル差はあまりないが、ハーフバースト（ａ）では、後半と比較して図１に示したガードタイム（Ｇ）に相当する前半のＲＳＳＩが低くなっており、前半と後半とでレベル差が生じている。したがって、信号種別判断部１０９は、該当スロットの前半のＲＳＳＩと後半のＲＳＳＩとの間のレベル差が所定値以下となったとき、受信信号をフルバーストと判断する。言い換えれば、前記レベル差が所定値よりも大きい場合はハーフバーストと判断する。
【００３０】
また、ＲＳＳＩ比較部１１１は、ＲＳＳＩ検出部１０７によって検出された該当スロットの前半のＲＳＳＩとＲＳＳＩしきい値設定部１１３によって予め定められたしきい値とを比較するものであり、ＲＳＳＩがしきい値以上となったとき制御部１１５に対して信号を出力する。なお、セービングモード中の制御部１１５にとって、当該信号は動作を開始するよう指示する意味をもった信号（以下、制御部起動信号という。図１では「ＷａｋｅＵｐ」と表示する。）となる。
【００３１】
また、ＲＳＳＩしきい値設定部１１３は、ＲＳＳＩ比較部１１１においてベースバンド信号のＲＳＳＩと比較するためのしきい値を、制御部１１５からのしきい値更新指示に応じて設定するものである。なお、本実施形態において、ＲＳＳＩ検出部１０７、信号種別判断部１０９、ＲＳＳＩ比較部１１１およびＲＳＳＩしきい値設定部１１３は、ゲートアレイ（Ｇ／Ａ）によって実現されている。
【００３２】
また、制御部１１５は、復号部１０５で得られた復号データから同期ワード（ＳＷ）を検出したり、同期ワード検出の可否や前記復号データから判別されるＲＳＳＩに基づいて、ＲＳＳＩしきい値設定部１１３に対ししきい値の更新を指示するものである。なお、セービングモード中の制御部１１５は、ＲＳＳＩ比較部１１１から制御部起動信号を受け取ると動作を開始し、動作開始直後、復号部１０５を起動させるための信号（以下、復号部起動信号という。図１では「ＷａｋｅＵｐ」と表示する。）とセービングモード中は電力が供給されていなかった無線部１０３の一部の構成要素に電力を供給するための信号（以下、ＯＮ／ＯＦＦ制御信号という）を出力して、セービングモードを解除して通常受信モードに移行する。すなわち、セービングモードは復号部１０５（ＤＳＰ）および無線部１０３の一部の構成要素には電力が供給されていない状態であり、通常受信モードはこれらの構成要素にも電力が供給されている状態である。
【００３３】
また、第１のカウンタ部１１７ａは、受信信号が信号種別判断部１０９によってフルバーストと判断された後、しきい値よりも小さいＲＳＳＩのスロットを何フレーム連続して受信したかをカウントするものである。また、第２のカウンタ部１１７ｂは、本実施形態の無線装置がセービングモードから通常受信モードに移行した後、制御部１１５で同期ワードを検出できない場合が何回連続しておきたかをカウントするものである。
【００３４】
上記説明した構成要素を備える本実施形態の無線装置は、通常受信モードからセービングモードに移行するときの条件、セービングモードから通常受信モードに移行するときの条件およびＲＳＳＩしきい値設定部のしきい値の更新条件がそれぞれ設定されている。以下、本実施形態の無線装置における、通常受信モードからセービングモードに移行するときの動作、およびしきい値更新（しきい値更新方法）を含むセービングモードから通常受信モードに移行するときの動作について、図４および図６を参照して詳細に説明する。
【００３５】
〔通常受信モードからセービングモードへの移行〕
まず、本実施形態の無線装置が通常受信モードからセービングモードに移行する際の条件および動作について、図４を参照して説明する。該当スロットでフルバーストを受信している通常受信モードの本実施形態の無線装置が以下の条件を満たす（ステップＳ４０１）と、制御部１１５は通常受信モードを解除して、セービングモードに移行する（Ｓ４０３）。
【００３６】
より具体的には、図５に示すように、本実施形態の無線装置が該当スロット（図５ではスロット２，斜線部分）でハーフバーストを受信すると、制御部１１５は通常受信モードを解除して、ただちにセービングモードに移行する。なお、上記条件は無線装置が通信エリアの圏内にある場合を想定している。また、上記条件の他に、通常受信モードの無線装置が連続して複数フレームの該当スロットで同期ワードを検出できないときも、制御部１１５は通常受信モードを解除して、本実施形態の無線装置はセービングモードに移行する。なお、この条件は無線装置が通信エリアの圏外にある場合を想定している。
【００３７】
したがって、通常受信モードからセービングモードに移行するときの条件は、▲１▼ハーフバーストの受信（圏内）および▲２▼連続した複数フレームの該当スロットにおける同期ワードの検出不可能（圏外）の２つである。本実施形態の無線装置は、これら条件のいずれか一方を満たしたとき、通常受信モードを解除してセービングモードに移行する。
【００３８】
〔セービングモードから通常受信モードへの移行〕
次に、本実施形態の無線装置がセービングモードから通常受信モードに移行する際の条件および動作、並びに、ＲＳＳＩしきい値設定部のしきい値の更新条件について、図６を参照して説明する。該当スロットでハーフバーストを受信しているセービングモードの本実施形態の無線装置が以下に説明する条件を満たすと、制御部１１５はセービングモードを解除して、通常受信モードに移行する。
【００３９】
より具体的には、図７に示すように、本実施形態の無線装置が該当スロット（図７ではスロット２，斜線部分）でハーフバーストを受信しているセービングモードの状態において、該当スロットでフルバーストを受信すると、図１に示した信号種別判断部１０９がこれを判別する（ステップＳ５０１）。信号種別判断部１０９は、上述したように、該当スロットの前半および後半のＲＳＳＩのレベル差が所定値以下となったとき受信信号をフルバーストと判別する。本実施形態においては、当該判別だけでセービングモードを解除してしまうと、例えば通信エリアのフリンジ近辺では周囲の雑音レベルとキャリアとのＣ／Ｎ比が低く、ハーフバーストからフルバーストへの変化を認識して通常受信モードに移行したとしても復調できないなどの実質的な通信を行うことができない場合があるため、次に説明するフルバーストのＲＳＳＩとしきい値との比較（Ｓ５０３）の結果を参照して電界レベルを確認した上で通常受信モードに移行している。
【００４０】
前記フルバーストのＲＳＳＩとしきい値との比較（Ｓ５０３）は、信号種別判断部１０９が該当スロットでのフルバーストの受信を判別したとき、ＲＳＳＩ比較部１１１によって行われる。ＲＳＳＩ比較部１１１は、該当スロットの前半のＲＳＳＩがしきい値以上となったとき制御部１１５に対して信号を出力する。このとき出力される前記信号は、制御部１１５を起動させる信号である。したがって、制御部１１５はこの信号によって動作を開始して、まず、セービングモード中には電力が供給されていなかった復号部１０５と無線部１０３の一部の構成要素に電力を供給するよう信号を出力する。このため、セービングモードは解除され、本実施形態の無線装置は、ただちに通常受信モードに移行する（Ｓ５０５）。
【００４１】
一方、ＲＳＳＩがしきい値よりも小さい場合において、次のフレームでも該当スロットの受信信号がフルバーストの受信と判別され、かつ、ＲＳＳＩがしきい値よりも小さなフレーム（該当スロット）の連続受信回数が第１のカウンタ部１１７ａによってカウントされる。制御部１１５は、ステップＳ５０７において、第１のカウンタ部１１７ａによってカウントされた数が所定値未満であれば、通常受信モードには移行せずにそのままセービングモードを継続する。一方、前記カウントされた数が所定値以上となったとき、制御部１１５はしきい値が高すぎると判断し、ＲＳＳＩしきい値設定部１１３に対してしきい値の下方更新を指示することにより前記しきい値を一定値引き下げる（Ｓ５０９）。
【００４２】
このように、該当スロットの種別判定およびＲＳＳＩとしきい値との比較を行った後、通常受信モードに移行するための条件を満たせば無線装置は通常受信モードに移行するが、本実施形態では、通常受信モードに移行した後、該当スロットのフルバーストに含まれる同期ワードの検出（同期の捕捉）を試みる（Ｓ５１１）。当該同期ワードの検出は、復号部１０５で得られた復号データに基づいて制御部１１５によって行われる。制御部１１５は、同期ワードを検出すればそのまま通常受信モードを継続する（Ｓ５１７）。
【００４３】
一方、同期ワードの検出は１フレームまたは複数フレームの間、試みられるが、それでも同期ワードを検出できないとき、再びセービングモードに移行する。そのとき、ステップＳ５１３において、上記のようにセービングモードから通常受信モードに移行したが、同期ワードが検出できない場合の連続回数が第２のカウンタ部１１７ｂによってカウントされる。制御部１１５は、第２のカウンタ部１１７ｂによってカウントされた数が所定値未満であれば再びセービングモードとなる。一方、前記カウントされた数が所定値以上となったとき、制御部１１５はしきい値が低すぎると判断し、ＲＳＳＩしきい値設定部１１３に対してしきい値の上方更新を指示することにより前記しきい値を一定値引き上げた（Ｓ５１５）後、再びセービングモードとなる。
【００４４】
したがって、セービングモードから通常受信モードに完全に移行するときの条件は、▲１▼フルバーストの受信、▲２▼該当スロット前半のＲＳＳＩがしきい値以上および▲３▼同期ワード検出の３つである。本実施形態の無線装置は、これらの条件を全て満たしたとき、セービングモードを解除して通常受信モードに移行する。また、これらの条件を満たさず、かつ、所定フレームまたは所定回数連続してこれらの条件を満たさないときは、しきい値を下方または上方更新する。なお、しきい値の下方更新は、該当スロット前半のＲＳＳＩがしきい値未満のフレームが所定回数、連続したしたときであり、しきい値の上方更新は、同期ワードが検出できない場合が所定回数、連続したときである。
【００４５】
上記説明において、更新される前のしきい値は初期値としてメモリ等に記憶された値である。但し、信号が何もない状態のＲＳＳＩを測定して、その測定値に一定値を加算した値を初期値としても良い。また、セービングモードの無線装置は、水晶等のハードウェアの特性が熱などによって変化して発振周波数がずれることもあるため、周波数を合わせるために定期的に短時間だけ通常受信モードになる。このとき、更新等されたしきい値は前記初期値にリセットされる。
【００４６】
以上説明したように、本実施形態の無線装置およびしきい値更新方法によれば、該当スロットのＲＳＳＩ（受信電界強度）と比較されるしきい値を固定とするのではなく、条件を設けて環境に合わせて適当に更新しているため、周囲雑音の変動に適応した最適なしきい値設定を行うことができる。例えば、周囲雑音が高い環境ではしきい値を上方更新しているため、受信に必要なＣ／Ｎ以下の受信キャリアでセービングモードは解除されない。したがって、セービングモードによる省電力効果を最大限に得ることができる。また、セービングモードを解除したにもかかわらず、誤り率が高いため復号データを利用することができないといった支障のある無意味な通信をなくすことができる。
【００４７】
また、しきい値の上方更新が何回も行われると装置にとっての実質的な通信エリアが狭まって、セービングモードの無線装置が基地局からの送信信号を受信しても通常受信モードに移行せず、通信に支障をきたしてしまうといった問題点があったが、本実施形態では条件を満たせばしきい値を下方更新するため、支障をきたすことなく通信を行うことができる。
【００４８】
また、セービングモードを解除して通常受信モードに移行する際の条件として、該当スロットの種別判断に加えて、ＲＳＳＩとしきい値との比較結果をも参照した上でセービングモードから通常受信モードに移行するといったように、通常受信モードへの移行の条件が複数設けられている。したがって、通信開始の誤認識を減らすことができ、結果として、セービングモードによる省電力効果を向上させることができる。
【００４９】
さらに、同期ワードの検出の可否が通常受信モードから再度セービングモードに移行する際の条件として用いられ、該当スロットの種別判断およびＲＳＳＩとしきい値との比較によって通信の開始が誤認識されたとしても、同期ワードを検出できない非有効な通信である場合には再度セービングモードに戻るため、セービングモードによる省電力効果をさらに向上させることができる。
【００５０】
【発明の効果】
以上説明したように、本発明の無線装置、しきい値更新方法およびしきい値更新プログラムによれば、所定スロットのＲＳＳＩと比較されるしきい値を固定とするのではなく、条件を設けて適当に更新できるため、環境の変動に適応した最適なしきい値設定を行うことができる。
【図面の簡単な説明】
【図１】フルバースト（ａ）およびハーフバースト（ｂ）の各構成について説明する説明図
【図２】本発明に係る一実施形態の無線装置を示すブロック図
【図３】フルバーストおよびハーフバースト各々のＲＳＳＩを示す説明図
【図４】本発明に係る一実施形態の無線装置における、通常受信モードからセービングモードに移行するときの動作について説明するフローチャート
【図５】通常受信モードからセービングモードへの移行を説明する説明図
【図６】本発明に係る一実施形態の無線装置における、セービングモードから通常受信モードに移行するときの動作について説明するフローチャート
【図７】セービングモードから通常受信モードへの移行を説明する説明図
【符号の説明】
１０１  アンテナ
１０３  無線部
１０５  復号部
１０７  ＲＳＳＩ検出部
１０９  信号種別判断部
１１１  ＲＳＳＩ比較部
１１３  ＲＳＳＩしきい値設定部
１１５  制御部
１１７ａ  第１のカウンタ部
１１７ｂ  第２のカウンタ部
【図１】
0003608733.tif 000002
【図２】
0003608733.tif 000003
【図３】
0003608733.tif 000004
【図４】
0003608733.tif 000005
【図５】
0003608733.tif 000006
【図６】
0003608733.tif 000007
【図７】
0003608733.tif 000008